(57)【要約】【課題】手すりマット及び背当りマットが、別々に製造されて、台座に組付けることにより、組付作業、輸送及び修理が容易となる組合せ式家具を提供する。【解決手段】その上面に条状を呈する係合溝が複数設けられている台座と、突出して等間隔に一体成形されて、前記係合溝と係合するための複数の係合条を有するシャーシを含む主マットと、前記台座の両側にスライドして結合する、水平に延びた一対の結合部を有する二つの手すりマットと、二つの前記手すりマットの前記結合部と重なる水平に延びた一対の固定部を有する背当りマットと、前記台座に前記結合部と前記固定部とを固定する締付部材と、を含む。【選択図】図２
2016168320.tif 000002
【特許請求の範囲】
【請求項１】
その上面に条状を呈する係合溝が複数設けられている台座と、
突出して等間隔に一体成形されて、前記係合溝と係合するための複数の係合条を有するシャーシを含む主マットと、
前記台座の両側にスライドして結合する、水平に延びた一対の結合部を有する二つの手すりマットと、
二つの前記手すりマットの前記結合部と重なる、水平に延びた一対の固定部を有する背当りマットと、
前記台座に前記結合部と前記固定部とを固定する締付部材と、
を含むことを特徴とする組合せ式家具。
【請求項２】
前記台座の前記係合溝の両側には、スライド溝が一対設けられており、一対の前記スライド溝に、二つの前記手すりマットの前記結合部をスライドして入れることが可能であることを特徴とする、請求項１に記載の組合せ式家具。
【請求項３】
隣接する前記スライド溝同士の上方に収容通路が設けられており、前記収容通路は、前記背当りマットの前記固定部を収容可能であることを特徴とする、請求項２に記載の組合せ式家具。
【請求項４】
前記結合部はコ字状を呈することを特徴とする、請求項１に記載の組合せ式家具。
【請求項５】
前記固定部はコ字状を呈することを特徴とする、請求項１に記載の組合せ式家具。
【請求項６】
前記係合条は中空であることを特徴とする、請求項１に記載の組合せ式家具。
【請求項７】
前記主マットの底面には、位置決めブロックが少なくとも一つ設けられており、前記台座の隅部には、位置決め溝が少なくとも一つ設けられており、前記位置決め溝が前記位置決めブロックを収容可能であることを特徴とする、請求項１に記載の組合せ式家具。
【請求項８】
その上面には、条状を呈する第１係合溝が複数設けられている第１台座と、
前記第１台座と並列し、その上面には、条状を呈する第２係合溝が複数設けられている第２台座と、
その下面に、等間隔に配列され前記第１係合溝と係合する第１係合条が複数設けられた第１マットと、
その下面に、等間隔に配列され前記第２係合溝と係合する第２係合条が複数設けられた第２マットと、
前記第１台座と前記第２台座の間に結合される少なくとも一つの連接部材と、
を含むことを特徴とする組合せ式家具。
【請求項９】
前記連接部材は、条状を呈し、その断面形状がコ字状を呈することを特徴とする、請求項８に記載の組合せ式家具。
【請求項１０】
前記第１台座と前記第２台座とは、少なくとも一つの連接溝をそれぞれ有し、前記第１台座と前記第２台座との前記連接溝により、前記連接部材の両端がそれぞれ収容されることを特徴とする、請求項８に記載の組合せ式家具。
【発明の詳細な説明】
【技術分野】
【０００１】
本発明は、家具に係り、より詳しくは、組合せ式家具に関するものである。
【背景技術】
【０００２】
一般的な家具は、一体式を採用し、その体積が大きいため、輸送が不便であり、損傷した場合には、技術者を呼んで修理しなければならないため、修理の費用が高い。
【０００３】
上記の問題を解決するために、組合せ式家具が開発されて市販されている。従来の組合せ式家具は、締結方式により、金属製のフレームとアクセサリーを組合わせるため、輸送が便利となる。しかし、従来の組合せ式家具は、フレームの体積がより大きいため、単独に製造し難く、損傷した場合には、損傷した部分だけを交換できず、技術者を呼んで修理しなければならないため、修理の費用を低減できない。
【発明の概要】
【発明が解決しようとする課題】
【０００４】
本発明の目的は、主マット、手すりマット及び背当りマットが、別々に製造されて、台座に組付けられることにより、組付作業、輸送及び修理が容易な組合せ式家具を提供することにある。  
【課題を解決するための手段】
【０００５】
本発明の組合せ式家具によると、その上面に条状を呈する係合溝が複数設けられている台座と、突出して等間隔に一体成形されて、前記係合溝と係合するための複数の係合条を有するシャーシを含む主マットと、前記台座の両側にスライドして結合する、水平に延びた一対の結合部を有する二つの手すりマットと、二つの手すりマットの前記結合部と重なる水平に延びた一対の固定部を有する背当りマットと、前記台座に前記結合部と前記固定部とを固定する締付部材と、を含むことを特徴とする。
【０００６】
本発明の組合せ式家具によると、前記台座の前記係合溝の両側には、スライド溝が一対設けられており、一対の前記スライド溝に、二つの手すりマットの前記結合部をスライドして入れることが可能であることを特徴とする。
【０００７】
本発明の組合せ式家具によると、隣接する前記スライド溝同士の上方に収容通路が設けられており、前記収容通路は、前記背当りマットの前記固定部を収容可能であることを特徴とする。
【０００８】
本発明の組合せ式家具によると、前記結合部はコ字状を呈することを特徴とする。
【０００９】
本発明の組合せ式家具によると、前記固定部はコ字状を呈することを特徴とする。
【００１０】
本発明の組合せ式家具によると、前記係合条は中空であることを特徴とする。
【００１１】
本発明の組合せ式家具によると、前記主マットの底面には、位置決めブロックが少なくとも一つ設けられており、前記台座の隅部には、位置決め溝が少なくとも一つ設けられており、前記位置決め溝が前記位置決めブロックを収容可能であることを特徴とする。
【００１２】
本発明の組合せ式家具によると、その上面には、条状を呈する第１係合溝が複数設けられている第１台座と、前記第１台座と並列し、その上面には、条状を呈する第２係合溝が複数設けられている第２台座と、その下面に等間隔に配列され前記第１係合溝と係合する第１係合条が複数設けられた第１マットと、その下面に等間隔に配列され前記第２係合溝と係合する第２係合条が複数設けられた第２マットと、前記第１台座と前記第２台座の間に結合されている少なくとも一つの連接部材と、を含むことを特徴とする。
【００１３】
本発明の組合せ式家具によると、前記連接部材は、条状を呈し、その断面形状がコ字状を呈することを特徴とする。
【００１４】
本発明の組合せ式家具によると、前記第１台座と前記第２台座とは、少なくとも一つの連接溝をそれぞれ有し、前記第１台座と前記第２台座との前記連接溝により、前記連接部材の両端がそれぞれ収容されることを特徴とする。
【発明の効果】
【００１５】
本発明の組合せ式家具によれば、主マット、手すりマット及び背当りマットが、別々に製造されて、台座に組付けられることにより、組付作業、輸送及び修理が容易になるという効果を有する。
【図面の簡単な説明】
【００１６】
【図１】本発明の第１の実施形態を示す外観図である。
【図２】本発明の第１の実施形態の構造を示す分解斜視図である。
【図３】図１における３−３線の断面図である。
【図４】図１における４−４線の断面図である。
【図５】本発明の第２の実施形態を示す外観図である。
【図６】本発明の第２の実施形態の構造を示す分解斜視図である。
【図７】本発明の第２の実施形態の一部を示す断面図である。
【発明を実施するための形態】
【００１７】
以下、本発明の実施の形態を図面に基づいて説明する。本発明の実施形態の図面における各部材の比例は、説明を容易に理解するために示され、実際の比例ではない。
【００１８】
（第１の実施形態）
図１乃至図４を参照する。図１は本発明の第１の実施形態を示す外観図であり、図２は本発明の第１の実施形態の構造を示す分解斜視図であり、図３は図１における３−３線の断面図であり、図４は図１における４−４線の断面図である。本実施形態に係る組合せ式家具１００は、シングル式のソファーである。
【００１９】
組合せ式家具１００は、台座１０と、主マット２０と、二つの手すりマット３０と、背当りマット４０と、締付部材５０と、を含む。
【００２０】
台座１０は、底部の四つの隅部に脚１１がそれぞれ設けられており、上面に条状を呈する係合溝１２が複数設けられており、係合溝１２が等間隔に配列されている。係合溝１２の両側には、一対のスライド溝１３がそれぞれ設けられている。隣接するスライド溝１３同士の上方を横切るように、後述する背当りマット４０の固定部４１を位置させるための収容通路１４が設けられている。収容通路１４の長さは、台座１０の前後側の間の距離より小さい。一方、台座１０の隅部には、少なくとも一つの位置決め溝１５が設けられている。
【００２１】
主マット２０は、突出する複数の係合条２２を有するシャーシ２１を含む。係合条２２は、等間隔に配列されており、シャーシ２１に一体成形されており、係合溝１２と係合するためのものである。これにより、台座１０の上面に主マット２０を安定的に固定可能である。シャーシ２１は金属を加工して形成される。係合条２２は中空状を呈する。主マット２０の下面には、位置決めブロック２３が少なくとも一つ設けられている。本実施形態においては、位置決めブロック２３が二つあり、二つの位置決めブロック２３が台座１０の位置決め溝１５に収容される。これにより、台座１０の上面に主マット２０を位置決めして取付け可能である。
【００２２】
二つの手すりマット３０には、一対の結合部３１がそれぞれ水平に延びる。結合部３１は、コ字状を呈し、台座１０の両側にスライドして結合する。各手すりマット３０は、結合部３１により台座１０のスライド溝１３にスライドして仮止めとして、ボルトにより台座１０の左右側に締結される。手すりマット３０により、ユーザの手部が支持される。
【００２３】
背当りマット４０は、一対の固定部４１が水平に延びる。固定部４１は、断面形状がコ字形を呈し、台座１０の収容通路１４に取付け可能である。これにより、二つの手すりマット３０の結合部３１に固定部４１を重ねて、固定部４１が上に位置して結合部３１が下に位置するという構造を形成することが可能である。この構造により、台座１０に取付穴を設けることが必要でなくなり、材料費及び金型作製の費用を減少することが可能である。
【００２４】
締付部材５０により、台座１０に結合部３１と固定部４１とを固定することが可能である。締付部材５０は、複数のボルト５１と、複数のナット５２と、を含む。ボルト５１は、固定部４１、結合部３１及び台座１０を貫通して、ナット５２にねじ込む。
【００２５】
このように、台座１０、主マット２０、二つの手すりマット３０及び背当りマット４０が別々に作製されるため、組合せる前においては、部材の全体の体積がより小さく、輸送が便利となる。本実施形態に係る組合せ式家具の組立て方法は、手すりマット３０の結合部３１に背当りマット４０の固定部４１を重ねて、締付部材５０により、台座１０に上記の部材を締結して、台座１０の係合溝１２に主マット２０の係合条２２を係合する。これにより、組付作業が簡単となり、構造が堅実となり、一部の部材が損傷した場合には、当該部材だけを交換すればよく、技術者を呼んで修理をして貰う必要がないため、修理の費用を減少することが可能である。
【００２６】
（第２の実施形態）
図５乃至図７を参照する。図５は本発明の第２の実施形態を示す外観図であり、図６は本発明の第２の実施形態の構造を示す分解斜視図であり、図７は本発明の第２の実施形態の一部を示す断面図である。本実施形態に係る組合せ式家具２００は、ベッドであり、第１台座１０ａと、第２台座１０ｂと、第１マット２０ａと、第２マット２０ｂと、少なくとも一つの連接部材６０と、を含む。
【００２７】
第１台座１０ａは、上記の台座１０の構造に類似し、底部の四つの隅部に脚１１ａがそれぞれ設けられており、その上面には、条状を呈する係合溝１２ａが複数設けられている。係合溝１２ａの一側には、一対の連接溝１３ａが設けられている。一方、第１台座１０ａの一側の二つの隅部には、位置決め溝１４ａがそれぞれ設けられている。
【００２８】
第２台座１０ｂは、第１台座１０ａと並列し、第１台座１０ａの構造と類似し、底部の四つの隅部に脚１１ｂがそれぞれ設けられており、その上面には、条状を呈する係合溝１２ｂが複数設けられている。係合溝１２ｂの一側には、一対の連接溝１３ｂが設けられている。連接溝１３ｂは、第１台座１０ａの連接溝１３ａに対応する。一方、台座１０ｂの一側の二つの隅部には、位置決め溝１４ｂがそれぞれ設けられている。
【００２９】
第１マット２０ａは、上記の主マット２０の構造と同様であり、突出する複数の第１係合条２２ａを有するシャーシ２１ａ含む。第１係合条２２ａは、等間隔に配列されており、第１台座１０ａの複数の係合溝１２ａと係合するためのものである。これにより、第１台座１０ａの上面に第１マット２０ａを安定的に固定可能である。第１マット２０ａの下面に位置決めブロック２３ａが少なくとも１つ設けられている。位置決めブロック２３ａは、第１台座１０ａの位置決め溝１４ａに収容される。
【００３０】
第２マット２０ｂは、第１マット２０ａの構造と同様であり、突出する複数の第２係合条２２ｂを有するシャーシ２１ｂを含む。第２係合条２２ｂは、等間隔に配列されており、第２台座１０ｂの係合溝１２ｂと係合するためのものである。これにより、第２台座１０ｂの上面に第２マット２０ｂを安定的に固定可能である。第２マット２０ｂの下面に位置決めブロック２３ｂが少なくとも１つ設けられている。位置決めブロック２３ｂは、第２台座１０ｂの位置決め溝１４ｂに収容される。
【００３１】
連接部材６０は、第１台座１０ａと第２台座１０ｂの間に配置される。連接部材６０は、二つあり、その断面形状がコ字状を呈し、その両端が第１台座１０ａの連接溝１３ａと第２台座１０ｂの連接溝１３ｂとにそれぞれ収容される。複数のボルト７０により、第１台座１０ａと第２台座１０ｂが連接される。このようにして、ベッドが構成される。
【００３２】
これにより、二つの台座の組付作業が簡単となり、生産コストが低くなり、輸送が便利となる。
【００３３】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【産業上の利用可能性】
【００３４】
本発明は、組合せ式家具に適用できる。
【符号の説明】
【００３５】
１０  台座
１０ａ  第１台座
１０ｂ  第２台座
１１、１１ａ、１１ｂ  脚
１２、１２ａ、１２ｂ  係合溝
１３  スライド溝
１３ａ、１３ｂ  連接溝
１４  収容通路
１４ａ、１４ｂ、１５  位置決め溝
２０  主マット
２０ａ  第１マット
２０ｂ  第２マット
２１、２１ａ、２１ｂ  シャーシ
２２  係合条
２２ａ  第１係合条
２２ｂ  第２係合条
２３、２３ａ、２３ｂ  位置決めブロック
３０  手すりマット
３１  結合部
４０  背当りマット
４１  固定部
５０  締付部材
５１、７０  ボルト
５２  ナット
６０  連接部材
１００、２００  組合せ式家具
【図１】
2016168320.tif 000003
【図２】
2016168320.tif 000004
【図３】
2016168320.tif 000005
【図４】
2016168320.tif 000006
【図５】
2016168320.tif 000007
【図６】
2016168320.tif 000008
【図７】
2016168320.tif 000009